(57)【要約】【課題】  接続部を収容位置から自動的に使用位置まで回動させることができる埋設型ガス栓を提供する。【解決手段】内壁Ｗには、室外Ｏ側に基部５を固定し、室内Ｉ側に窓孔３ａを有する化粧プレート３を固定する。基部５には、接続部６を第１回動軸線Ｌ１を中心として収容位置と使用位置との間を回動可能に連結する。基部５と中間部７との間には、中間部７を収容位置から使用位置に向かって回動付勢するコイルばね１５を設ける。接続部６には、窓孔３ａを開閉する蓋体１２を固定する。蓋体１２と窓孔３ａの内周面との間には、蓋体１２及び接続部６をコイルばね１５の付勢力に抗して収容位置に係脱可能に係止する係止機構１３を設ける。【選択図】図３
2007270939.tif 000002
【特許請求の範囲】
【請求項１】
位置固定して設けられた基部と、先端部にプラグ部を有し、後端部が上記基部に収容位置と使用位置との間を第１回動軸線を中心として回動可能に連結された接続部とを備えた埋設型継手において、
上記接続部を収容位置から上記使用位置に向かって付勢する付勢手段と、上記接続部を上記付勢手段の付勢力に抗して上記収容位置に係脱可能に係止する係止機構とをさらに備えたことを特徴とする埋設型継手。
【請求項２】
上記接続部が、上記基部に上記収容位置と上記使用位置との間を上記第１回動軸線を中心として回動可能に連結された中間部と、先端部に上記プラグ部が設けられ、後端部が上記中間部に上記第１回動軸線とほぼ直交する第２回動軸線を中心として回動可能に連結された先部とを有し、上記プラグ部がその軸線を上記第１、第２回動軸線とほぼ直交させて形成されていることを特徴とする請求項１に記載の埋設型継手。
【発明の詳細な説明】
【技術分野】
【０００１】
この発明は、室内の壁面やガス器具の外面等に形成された収容空間内に設けられる埋設型継手に関する。
【背景技術】
【０００２】
従来のこの種の継手の一つとして、下記特許文献１に記載の埋設型ガス栓がある。この埋設型ガス栓は、基部と接続部とを有している。基部は、収容ボックス内に位置固定して設けられている。接続部は、その後端部が基部に回動可能に連結されており、その先端部にはプラグ部が設けられている。接続部は、プラグ部を含む全体が収容ボックス内に収容された収容位置と、プラグ部の先端部が収容ボックスから突出した使用位置との間を基部に回動可能になっている。
【０００３】
【特許文献１】実公平４−２５５５９号公報
【発明の開示】
【発明が解決しようとする課題】
【０００４】
上記従来の埋設型継手を使用する際には、接続部を収容位置から使用位置まで手で回動させなければならない。しかも、使用位置に回動させた接続部が収容位置側へ戻らないよう、接続部を手で押さえておかなければならない。また、収容位置に収容された接続部が振動等によってがたついたり、プラグ部が収容空間から突出してしまう等の問題があった。
【課題を解決するための手段】
【０００５】
この発明は、上記の問題を解決するために、位置固定して設けられた基部と、先端部にプラグ部を有し、後端部が上記基部に収容位置と使用位置との間を第１回動軸線を中心として回動可能に連結された接続部とを備えた埋設型継手において、上記接続部を収容位置から上記使用位置に向かって付勢する付勢手段と、上記接続部を上記付勢手段の付勢力に抗して上記収容位置に係脱可能に係止する係止機構とをさらに備えたことを特徴としている。
この場合、上記接続部が、上記基部に上記収容位置と上記使用位置との間を上記第１回動軸線を中心として回動可能に連結された中間部と、先端部に上記プラグ部が設けられ、後端部が上記中間部に上記第１回動軸線とほぼ直交する第２回動軸線を中心として回動可能に連結された先部とを有し、上記プラグ部がその軸線を上記第１、第２回動軸線とほぼ直交させて形成されていることが望ましい。
【発明の効果】
【０００６】
上記特徴構成を有するこの発明によれば、接続部が係止手段によって収容位置に係止されているので、接続部ががたついたり、プラグ部が収容空間から突出することがない。また、付勢手段が接続部を収容位置から使用位置に向かって付勢しているので、使用位置に回動した接続部が収容位置に戻ってしまうことがない。さらに、係止手段による係止状態を解除することにより、接続部を付勢手段によって収容位置から使用位置まで自動的に回動させることができる。
【発明を実施するための最良の形態】
【０００７】
以下、この発明を実施するための最良の形態を、図１〜図８を参照して説明する。
図１〜図８は、この発明が適用された埋設型ガス栓（埋設型継手）Ａを示す。この埋設型ガス栓Ａは、図３〜図６に示すように、建物の内壁Ｗに設けられている。内壁Ｗには、これを室内外方向に貫通する貫通孔Ｗａが形成されている。貫通孔Ｗａは、上下に長い長方形状に形成されているが、円形、その他の形状に形成してもよい。
【０００８】
内壁Ｗを間にした室内Ｉ側と室外Ｏ側とには、金属製の板材からなる枠状（リング状）の内側及び外側固定枠１，２が配置されている。内側及び外側固定枠１，２は、貫通孔Ｗａとほぼ相似な形状であり、貫通孔Ｗａに沿って延びるように配置されている。そして、内側及び外側固定枠１，２は、内側固定枠１を貫通して外側固定枠に螺合されたボルトＢ１を締め付けると、内壁Ｗを挟持する。これにより、内側及び外側固定枠１，２が内壁Ｗに固定されている。
【０００９】
内側固定枠１には、樹脂製の化粧プレート３がボルト、その他の固定手段（図示せず）によって着脱可能に装着されている。図１〜図６に示すように、化粧プレート３は、その周縁部が内側固定枠１から全周にわたって突出するようにして内側固定枠１を覆っており、内側固定枠１から突出した周縁部は内壁Ｗの室内Ｉ側を向く壁面にほぼ接している。これにより、内側固定枠１及び内壁Ｗの貫通孔Ｗａが室内Ｉ側から目視されないように遮蔽されている。化粧プレート３の中央部には、これを室内外方向に貫通する窓孔３ａが形成されている。窓孔（開口部）３ａは、上下に長い長方形上に形成されているが、円形状、正方形状等の他の形状に形成してもよい。
【００１０】
図３〜図６に示すように、固定枠１の内周部には、複数の支持腕１ａが形成されている。支持腕１ａは、貫通孔Ｗａを室内Ｉ側から室外Ｏ側へ向かって水平に貫通しており、その先端部には、内壁Ｗと外壁との間に配置された栓本体４がボルトＢ２によって固定されている。
【００１１】
栓本体４は、基部５及び接続部６を有しており、接続部６は、中間部７及び先部８とによって構成されている。
【００１２】
基部５は、直管状をなしており、内壁Ｗと平行に、かつ水平に配置されている。そして、基部５は、支持腕１ａの先端部に固定されている。基部５は、外壁に固定してもよい。基部５の一端部（図６において上端部）には、一次側ガス管（図示せず）が接続され、この一次ガス管から基部５内にガスが供給される。
【００１３】
接続部６の中間部７は、ほぼ直角に屈曲したエルボー管状をなしており、その一端部が内壁Ｗと平行に延びる水平な第１回動軸線Ｌ１（＝基部５の軸線）を中心として基部５の他端部に回動可能に、かつ気密に嵌合されている。中間部７の他端部は、室内Ｉ側に向かって延びている。
【００１４】
接続部６の先部８は、ほぼ直角に屈曲したエルボー管状をなしており、その室外Ｏ側の後端部が中間部７の他端部（室内Ｉ側の端部）に、第１回動軸線Ｌ１と直交する第２回動軸線Ｌ２を中心として回動可能に、かつ気密に嵌合されている。先部８の室内Ｉ側の先端部には、軸線を第１、第２回動軸線Ｌ１，Ｌ２と直交させたプラグ部８ａが形成されている。プラグ部８ａの内部には、一次側ガス管から基部５及び中間部６を介してガスが供給される。プラグ部８ａには、迅速継手タイプのソケットＳが接続される。そして、ソケットＳから二次側ガス管Ｇを介してガス器具（図示せず）にガスが供給される。
【００１５】
先部８の内部の後端部には、先部８の内部を過剰のガスが流れると先部８の内部を遮断する過流出防止弁９が設けられている。また、先部８の内部の先端部には、主弁１０及び副弁１１が設けられている。主弁１０及び副弁１１は、先部８の内部を開閉するものであり、プラグ部８ａにソケットＳが接続されると先部８の内部を開き、ソケットＳがプラグ部８ａから外されると先部８の内部を閉じる。なお、過流出防止弁９、主弁１０及び副弁１１は、この発明の要部でもないのみにならず、周知のものであるので、それらの詳細な説明は省略する。
【００１６】
上記中間部７には、蓋体１２がボルトＢ３によって固定されている。したがって、蓋体１２は、第１回動軸線Ｌ１を中心として中間部７と一体に回動する。蓋体１２は、図３に示す収容位置に位置したときには、化粧プレート３の窓孔３ａに嵌合してこれを閉じる。その一方、蓋体１２は、図４及び図５に示す使用位置に位置したときには、窓孔３ａの上端部を除く大部分を開く。
【００１７】
中間部７及び蓋体１２が使用位置側から収容位置を越えて回動しようとすると、蓋体１２の下端部が窓孔３ａの内周面の下端部に突き当たる。これにより、中間部７及び蓋体１２が使用位置側から収容位置を越えて回動することが阻止されている。その一方、中間部７及び蓋体１２は、収容位置から使用位置側へ回動することが係止機構１３によって所定の大きさの力で阻止されている。図３及び図８に示すように、窓孔３ａの内周面の上端部には、下方を向く係止面１３ａが形成されている。中間部７及び蓋体１２が収容位置に位置したときに係止面１３ａと対向する蓋体１２の上端部には、突起１３ｂが形成されている。この突起１３ｂが係止面１３ａに突き当たることにより、中間部７及び蓋体１２が収容位置から使用位置側へ回動することが阻止されている。ただし、蓋体１２に所定の大きさ以上の力を収容位置側から使用位置側へ向かって加えると、化粧プレート３及び蓋体１２が弾性変形し、突起１３ｂが係止面１３ａから室外Ｏ側へ移動して外れる。これによって、中間部７及び蓋体１２が収容位置から使用位置側へ回動可能になる。図３に示すように、蓋体１２の下端部には、蓋体１２が収容位置に位置しているときに化粧プレート３から室内Ｉ側へ向かって突出する突出部１２ａが形成されている。この突出部１２ａに指を引っ掛けて蓋体１２を上方へ押すことにより、係止機構１３による係止状態を解除することができる。
【００１８】
図４及び図５に示すように、基部５と中間部７との間には、阻止機構１４が設けられている。この阻止機構は、接続部６及び蓋体１２が収容位置側から使用位置を越えて回動するのを阻止するためのものであり、基部５及び中間部７にそれぞれ設けられた当接面１４ａ，１４ｂを有している。各当接面１４ａ，１４ｂは、中間部７（接続部６）及び蓋体１２が収容位置側から使用位置に回動すると、互いに突き当たるように配置されている。そして、両当接面１４ａ，１４ｂが互いに突き当たることにより、中間部７及び蓋体１２の使用位置を越える回動が阻止されている。
【００１９】
蓋体１２が使用位置に位置しているとき、蓋体１２の突出部１２ａは化粧プレート３から室内Ｉ側に向かって突出している。したがって、突出部１２ａを下方へ押すことにより、蓋体１２及び接続部６を使用位置から収容位置まで回動させることができる。
【００２０】
図６及び図７に示すように、基部５と中間部７との間には、コイルばね（付勢手段）１５が設けられている。このコイルばね１５の一端部は基部５に突き当たり、他端部は中間部７に突き当たっている。そして、コイルばね１５は、中間部７を収容位置から使用位置へ向かう方向に回動付勢している。コイルばね１５の付勢力は、係止機構１３による係止力より弱く設定されている。したがって、接続部６及び蓋体１２は、係止機構１３による係止状態を解除しない限り収容位置から使用位置側へ回動することはない。勿論、係止機構１３による係止状態を解除すると、接続部６及び蓋体１２がコイルばね１５によって収容位置から使用位置まで回動させられる。
【００２１】
化粧プレート３の窓孔３ａ、内側固定枠１の内部空間、及び内壁Ｗと外壁との間の空間によって収容空間ＳＰが構成されている。図３に示すように、接続部６が収容位置に位置しているときには、栓本体４全体が収容空間ＳＰ内に収容されている。しかも、このときには化粧プレート３の窓孔３ａが蓋体１２によって閉じられているので、栓本体４を室内Ｉ側から目視することができない。その一方、接続部６が使用位置に回動すると、図４及び図５に示すように、窓孔３ａが開かれるとともに、プラグ部８ａが室内Ｉ側を向く。この場合、プラグ部８ａは、室内Ｉ側へ向かって斜め下方を向くように傾斜しているが、水平方向を向くようにしてもよい。プラグ部８ａの先端部は、窓孔３ａから室内Ｉ側に突出している。
【００２２】
上記構成の埋設型ガス栓Ａにおいては、接続部６が収容位置に位置しているときには、接続部６及び蓋体１２が収容位置に係止されているから、接続部６及び蓋体１２が不用意に使用位置へ回動することがない。しかも、接続部６がコイルばね１５によって使用位置側へ付勢されているから、接続部６及び蓋体１２が振動等によってがたつくこともない。また、係止機構１３による係止状態を解除すると、接続部６及び蓋体１２がコイルばね１５により使用位置まで自動的に回動させられる。したがって、接続部６及び蓋体１２を手で回動させる必要がない。さらに、プラグ部８ａを有する先部８が第２回動軸線Ｌ２を中心として回動可能であるから、接続部６を使用位置に回動させた後、先部８を回動させてプラグ部８ａを適宜の方向に向けることにより、室内Ｉに設けられた家具等が邪魔になることなく、ソケットＳをプラグ部８ａに接続することができる。
【００２３】
なお、この発明は、上記の実施の形態に限定されるものでなく、その要旨を逸脱しない範囲において適宜変更可能である。
例えば、上記の実施の形態は、この発明をガス栓Ａに適用したものであるが、この発明は継手本体の内部に主弁１０及び副弁１１が設けられていない迅速継手タイプの通常の埋設型継手にも適用可能である。
また、上記の実施の形態においては、栓本体４を内壁Ｗに固定しているが、外壁に固定してもよい。そのような場合には、内側及び外側固定枠１，２が不要である。さらに、内側及び外側固定枠１，２、化粧プレート３並びに蓋体１２を省略してもよい。その場合には、貫通孔Ｗａ及び内壁Ｗと外壁との間の空間によって収容空間が形成される。
【図面の簡単な説明】
【００２４】
【図１】この発明の一実施の形態を、接続部が収容位置に位置した状態で示す正面図である。
【図２】同実施の形態を、接続部が使用位置に位置した状態で示す正面図である。
【図３】栓本体を非断面状態で示す図１のＸ−Ｘ線に沿う断面図である。
【図４】接続部が使用位置に位置した状態での図３と同様の断面図である。
【図５】接続部を破断した状態で示す図４と同様の断面図である。
【図６】図３のＸ−Ｘ線に沿う断面図である。
【図７】図６のＸ−Ｘ線に沿う断面図である。
【図８】図３のＹ円部の拡大図である。
【符号の説明】
【００２５】
Ａ  埋設型ガス栓（埋設型継手）
Ｌ１  第１回動軸線
Ｌ２  第２回動軸線
４  栓本体（継手本体）
５  基部
６  接続部
７  中間部
８  先部
８ａ  プラグ部
１３  係止手段
１４  阻止手段
１５  コイルばね（付勢手段）
【図１】
2007270939.tif 000003
【図２】
2007270939.tif 000004
【図３】
2007270939.tif 000005
【図４】
2007270939.tif 000006
【図５】
2007270939.tif 000007
【図６】
2007270939.tif 000008
【図７】
2007270939.tif 000009
【図８】
2007270939.tif 000010